(57)【要約】      （修正有）【課題】時刻合わせの手間を軽減することができる端末装置と時刻修正方法を提供する。【解決手段】携帯型情報端末１００は、入力部１０、出力部２０、時計部３０、カメラ部４０、記憶部５０及び情報処理部６０を備える。情報処理部６０は、時計画像取得部６１と、時刻読取部６２と、時刻修正部６３とを含む。時計画像取得部６１は、カメラ部４０を介して時刻を示す時計の画像を取得し、撮像された時計画像を時刻読取部６２に送信する。時刻読取部６２は、時計画像内の時計が示す時刻を読み取り、読み取った表示時刻を時刻修正部６３に送信し、時計部３０に搭載される内蔵時計が刻む時刻を読み取られた時刻に修正する。【選択図】図２
2014112054.tif 000002
【特許請求の範囲】
【請求項１】
カメラを介して時刻を示す時計の画像を取得する時計画像取得部と、
取得画像内の時計が示す時刻を読み取る時刻読取部と、
内蔵時計が刻む時刻を前記時刻読取部によって読み取られた時刻に修正する時刻修正部と、
を有する端末装置。
【請求項２】
カメラを介して時刻を示す時計の画像を取得する時計画像取得ステップと、
取得画像内の時計が示す時刻を読み取る時刻読取ステップと、
内蔵時計が刻む時刻を前記時刻読取ステップによって読み取られた時刻に修正する時刻修正ステップと、
を含む時刻修正方法。
【請求項３】
カメラを介して時刻を示す時計の画像を取得する時計画像取得処理と、
取得画像内の時計が示す時刻を読み取る時刻読取処理と、
内蔵時計が刻む時刻を前記時刻読取ステップによって読み取られた時刻に修正する時刻修正処理と、
をコンピュータに実行させる時刻修正プログラム。
【発明の詳細な説明】
【技術分野】
【０００１】
本発明は、端末装置、時刻修正方法及び時刻修正プログラムに関する。
【背景技術】
【０００２】
通常、携帯電話、デジタルカメラ、ノートパソコンなどの携帯型情報処理端末には時計機能が備えられている。そして、ＧＰＳ機能、標準周波数報時電波、ラジオ電波、基地局から発信されている電波などを利用して、内蔵時計（ないしはリアルタイムクロック）が刻む時刻を地域標準時に自動的に合わせる技術も知られている（例えば、特許文献１参照）。
【先行技術文献】
【特許文献】
【０００３】
【特許文献１】特開２００１−２２８２７２号公報
【発明の概要】
【発明が解決しようとする課題】
【０００４】
以下の分析は、本発明の観点からなされたものである。なお、上記先行技術文献の開示を、本書に引用をもって繰り込むものとする。
【０００５】
上述の技術では、時刻合わせのための電波を受信できない状況（例えば、建物内や外国滞在時などの電波を受信できない状況）では、内蔵時計を地域標準時などに自動的に合わせることができない。そのような状況下では、ユーザが手動で修正操作を行う必要があるが、この手動修正操作はユーザが目視によって時計から時刻を読み取り、その時刻を入力するなど、非常に手間がかかる。そのため、時刻合わせの手間を軽減する方法が望まれている。
【課題を解決するための手段】
【０００６】
本発明の第１の視点によれば、カメラを介して時刻を示す時計の画像を取得する時計画像取得部と、取得画像内の時計が示す時刻を読み取る時刻読取部と、内蔵時計が刻む時刻を前記時刻読取部によって読み取られた時刻に修正する時刻修正部と、を有する端末装置が提供される。
【０００７】
本発明の第２の視点によれば、カメラを介して時刻を示す時計の画像を取得する時計画像取得ステップと、取得画像内の時計が示す時刻を読み取る時刻読取ステップと、内蔵時計が刻む時刻を前記時刻読取ステップによって読み取られた時刻に修正する時刻修正ステップと、を含む時刻修正方法が提供される。
【０００８】
本発明の第３の視点によれば、カメラを介して時刻を示す時計の画像を取得する時計画像取得処理と、取得画像内の時計が示す時刻を読み取る時刻読取処理と、内蔵時計が刻む時刻を前記時刻読取ステップによって読み取られた時刻に修正する時刻修正処理と、をコンピュータに実行させる時刻修正プログラムが提供される。
【発明の効果】
【０００９】
本発明の各視点によれば、時刻合わせの手間を軽減することに貢献する装置・方法・プログラムが提供される。
【図面の簡単な説明】
【００１０】
【図１】本発明の一実施形態の概要を説明するための図である。
【図２】携帯型情報端末の構成を示す図である。
【図３】時計画像取得部による処理を説明するための図である。
【図４】時計画像取得部による処理を説明するための図である。
【図５】携帯型情報端末による処理の流れを示すフローチャート図である。
【発明を実施するための形態】
【００１１】
本発明のとり得る好適な実施形態について図面を参照して詳細に説明する。なお、以下の記載に付記した図面参照符号は、理解を助けるための一例として各要素に便宜上付記したものであり、本発明を図示の態様に限定することを意図するものではない。
【００１２】
［実施形態］
先ず、本発明の概要について説明する。図１は、本発明の一実施形態の概要を説明するための図である。本発明の一例として説明される端末装置は、時計機能と、カメラ機能を備えた携帯型情報端末である。
【００１３】
図１に示すように、携帯型情報端末は、時刻合わせモードへのモード変更指示がユーザによって入力されると、ユーザに対して時刻（好ましくは、標準時）を示す時計を撮像するよう指示するとともに、カメラ機能を実行する。そして、ユーザの撮像操作によって時計の画像が取得されると、携帯型情報端末は、取得画像内の時計が示す時刻を読み取り、内蔵時計が刻む時刻を時計画像から読み取られる時刻に修正する。
【００１４】
このように、本発明の実施形態の携帯型情報端末では、ユーザは、モード変更指示と、時計を撮像する操作のみで自動的に時刻合わせを実行することができる。すなわち、本発明によれば時刻合わせの手間を軽減することができる。
【００１５】
次に、上記の携帯型情報端末についてより詳細に説明する。図２は、携帯型情報端末の構成を示す図である。携帯型情報端末１００は、例えば、時計機能及びカメラ機能を備えた携帯電話、デジタルカメラ、ノートパソコンなどであり、図２に示すように、入力部１０、出力部２０、時計部３０、カメラ部４０、記憶部５０及び情報処理部６０を備える。
【００１６】
入力部１０は、スイッチ、ボタン、タッチパネルなどであり、ユーザからの指示を受け付ける。具体的には、入力部１０は、通常モードや待機モードから時刻合わせモードに切り替えるモード変更指示などを受け付ける。
【００１７】
出力部２０は、例えば、ディスプレイであり、時計、レンズを介して取得される被写体像（すなわち、ファインダーを覗き込んだときに見える映像を表した画像）、撮像画像、ユーザに対する操作指示などを表示する。
【００１８】
時計部３０は、コンピュータシステムや情報家電などに搭載される内蔵時計ないしはリアルタイムクロックであり、携帯型情報端末１００の電源が切られていても現在時刻を刻み続ける。例えば、時計部３０は、時計モードへのモード変更指示がユーザによって入力されると、内蔵時計が示す時刻を出力部２０に表示させる。
【００１９】
カメラ部４０は、レンズ、撮像素子、各種操作ボタン（シャッターボタンなど）を有し、デジタルカメラ装置が有するカメラ機能を実行する。具体的には、カメラ部４０は、カメラモードへのモード変更指示がユーザによって入力されると、被写体像を出力部２０に表示させ、さらに、ユーザによってシャッターを切る操作が入力されると、レンズを介して取得される画像を撮像画像として記憶部５０に格納する。なお、携帯型情報端末１００とは別個の筐体としてカメラ部４０を備えることもでき、その場合には、例えば、ＵＳＢ（ユニバーサル・シリアル・バス）や無線電波などによってカメラ部４０と携帯型情報端末１００との間で撮像画像のデータが通信される。
【００２０】
記憶部５０は、各種データ、プログラム、アプリケーションを保存するためのデバイスであり、具体的には、ＲＡＭ（ランダムアクセスメモリ）、ＲＯＭ（リードオンリーメモリ）、キャッシュメモリを含む。
【００２１】
情報処理部６０は、プログラム及びアプリケーションの実行、各構成要素の制御などを行うためのデバイスであり、特に、時計画像取得部６１と、時刻読取部６２と、時刻修正部６３とを含む。
【００２２】
時計画像取得部６１は、カメラを介して時刻（好ましくは、標準時）を示す時計の画像を取得する。具体的には、ユーザによる時刻合わせモードへのモード変更指示を受け付けると、時計画像取得部６１は、カメラ機能を実行するようにカメラ部４０を制御し、例えば、図３に示すように、ユーザに対する指示や、時計の撮像のための補助アイコンなどを出力部２０に表示する。そして、ユーザによって時計を撮像する操作が行われると、時計画像取得部６１は、撮像された時計画像を時刻読取部６２に送信する。なお、図３は、時計画像取得部による処理を説明するための図である。
【００２３】
時刻読取部６２は、時計画像内の時計が示す時刻を読み取る。具体的には、時刻読取部６２は、時計画像取得部６１から時計画像を受信すると、受信した時計画像を解析して表示時刻を読み取り、読み取った表示時刻を時刻修正部６３に送信する。例えば、時刻読取部６２は、アナログ時計の撮像画像を解析する場合には、撮像画像から長針、短針、文字盤の数字を検出して表示時刻を読み取る。なお、画像解析を精度良く行うために、例えば、図４（Ａ）に示すように、短針がディスプレイに表示した枠内に撮像されるようにユーザに対して指示してもよい。この場合には、図４の（Ｂ）に示すように、ユーザは、携帯型情報端末１００自体を傾けて壁掛け時計などを撮像することになる。また、デジタル時計の撮像画像を解析する場合には、光学文字認識技術（ＯＣＲ：Optical Character Recognition）などを利用して、表示時刻を読み取る。図４は、時計画像取得部による処理を説明するための図である。
【００２４】
時刻修正部６３は、内蔵時計を時刻読取部６２によって読み取られた時刻に修正する。具体的には、時刻修正部６３は、時計画像取得部６１によって読み取られた表示時刻を受信すると、時計部３０によって刻まれている現在時刻を受信した表示時刻に修正する。
【００２５】
図５は、携帯型情報端末による処理の流れを示すフローチャート図である。図５に示すように、時計画像取得部６１がモード変更指示を受け付けると（ステップＳ１０１、Ｙｅｓ）、カメラ部４０はカメラ機能を実行し（ステップＳ１０２）、出力部２０はユーザに対する指示などを表示する（ステップＳ１０３）。そして、時計を撮像する操作を受け付けると（ステップＳ１０４、Ｙｅｓ）、時刻読取部６２は時計画像内の時計が示す時刻を読み取り（ステップＳ１０５）、時刻修正部６３は内蔵時計を読み取られた時刻に修正する（ステップＳ１０６）。
【００２６】
以上のように、本発明の携帯型情報端末１００によれば、時刻合わせの手間を軽減することができる。
【００２７】
なお、撮像される時計の種類によっては、撮像画像から表示時刻が午前であるか、あるいは午後であるかが判別できないことがある。そのような場合には、光センサによって午前・午後を判別してもよい。また、午前であるか午後であるかについては、ユーザが手動で入力するようにしてもよい。そのような構成を有したとしても、少なくとも、時、分についての手動入力を省くことができるので、時刻合わせの手間が軽減される。
【００２８】
上記の実施形態の一部又は全部は、以下の付記のようにも記載され得るが、以下には限られない。
（付記１）
カメラを介して時刻を示す時計の画像を取得する時計画像取得部と、取得画像内の時計が示す時刻を読み取る時刻読取部と、内蔵時計が刻む時刻を前記時刻読取部によって読み取られた時刻に修正する時刻修正部と、を有する端末装置。
（付記２）
カメラを介して時刻を示す時計の画像を取得する時計画像取得ステップと、取得画像内の時計が示す時刻を読み取る時刻読取ステップと、内蔵時計が刻む時刻を前記時刻読取ステップによって読み取られた時刻に修正する時刻修正ステップと、を含む時刻修正方法。
（付記３）
カメラを介して時刻を示す時計の画像を取得する時計画像取得処理と、取得画像内の時計が示す時刻を読み取る時刻読取処理と、内蔵時計が刻む時刻を前記時刻読取ステップによって読み取られた時刻に修正する時刻修正処理と、をコンピュータに実行させる時刻修正プログラム。
【００２９】
なお、上記の特許文献の開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。
【符号の説明】
【００３０】
１０    入力部
２０    出力部
３０    時計部
４０    カメラ部
５０    記憶部
６０    情報処理部
６１    時計画像取得部
６２    時刻読取部
６３    時刻修正部
１００    携帯型情報端末
【図１】
2014112054.tif 000003
【図２】
2014112054.tif 000004
【図３】
2014112054.tif 000005
【図４】
2014112054.tif 000006
【図５】
2014112054.tif 000007